(57)【要約】【課題】廃棄物収集時において廃棄物情報を効率的かつ簡易に収集可能な廃棄物収集管理システムおよび廃棄物収集管理方法を提供する。【解決手段】廃棄物管理情報が書き込まれており、廃棄物の排出単位毎に取付もしくは混入される、ＩＤタグと、前記ＩＤタグに書き込まれた廃棄物管理情報を非接触で読み取る、情報読取り装置と、廃棄物情報として記憶する、第１の記憶手段と、前記廃棄物情報を前記第１の記憶手段から転送して記憶する、第２の記憶手段と、を備えることを特徴とする廃棄物収集管理システム、並びに、ＩＤタグ配布工程と情報読取り工程と情報記録工程と収集工程と情報転送工程とを含むことを特徴とする廃棄物収集管理方法。【選択図】      図１
2004175556.tif 000002
【特許請求の範囲】
【請求項１】
廃棄物管理情報が書き込まれており、廃棄物の排出単位毎に取付もしくは混入される、ＩＤタグと、
廃棄物収集ステーションにて、前記ＩＤタグに書き込まれた廃棄物管理情報を非接触で読み取る、情報読取り装置と、
前記情報読取り装置によって得られた廃棄物管理情報を、廃棄物収集情報とともに廃棄物情報として記憶する、第１の記憶手段と、
複数の廃棄物収集ステーションにて記憶された前記廃棄物情報を、前記第１の記憶手段から転送して記憶する、第２の記憶手段と、
を備えることを特徴とする廃棄物収集管理システム。
【請求項２】
さらに加えて、前記第１の記憶手段に記憶された廃棄物情報を送信する、送信手段と、送信される複数の廃棄物情報を電気通信回線を介して受信する、受信手段と、を備えることを特徴とする廃棄物収集管理システム。
【請求項３】
複数の廃棄物収集ステーションを移動して廃棄物収集を行う、廃棄物収集車に、廃棄物の重量計測装置が備えられており、
前記第１の記憶手段において、前記ＩＤタグに記憶された各廃棄物管理情報毎に、前記廃棄物収集情報の一部として計測される各廃棄物の重量情報を記憶することを特徴とする請求項１又は２に記載の廃棄物収集管理システム。
【請求項４】
複数の廃棄物収集ステーションを移動して廃棄物収集を行う、廃棄物収集車に、前記情報読取り装置が備えられていることを特徴とする請求項１〜３のいずれか１項に記載の廃棄物収集管理システム。
【請求項５】
前記廃棄物収集ステーション毎に、前記情報読取り装置が備えられていることを特徴とする請求項１〜３のいずれか１項に記載の廃棄物収集管理システム。
【請求項６】
ＩＤタグに廃棄物管理情報を書き込み、廃棄物排出者に配布する、ＩＤタグ配布工程と、
廃棄物収集ステーションにて、前記ＩＤタグが排出単位毎に取付もしくは混入された廃棄物から、該ＩＤタグに書き込まれた廃棄物管理情報を非接触で読み取る、情報読取り工程と、
読み取られた前記廃棄物管理情報を、廃棄物収集情報とともに廃棄物情報として記録する、情報記録工程と、
前記情報読取りを行った廃棄物を、複数の廃棄物収集ステーションを移動する廃棄物収集車で収集する、収集工程と、
複数の廃棄物収集ステーションにて記録された前記廃棄物情報を転送する、情報転送工程と、
を含むことを特徴とする廃棄物収集管理方法。
【請求項７】
前記収集工程が、前記ＩＤタグを廃棄物から分離して回収する、ＩＤタグ回収工程と、前記ＩＤタグと分離された廃棄物を廃棄物収集車に収集する、廃棄物収集工程と、を含むことを特徴とする請求項６に記載の廃棄物収集管理方法。
【請求項８】
前記情報転送工程が、前記廃棄物情報を送信する、送信工程と、送信された複数の廃棄物情報を電気通信回線を介して受信する、受信工程と、を含むことを特徴とする請求項６又は７に記載の廃棄物収集管理方法。
【請求項９】
さらに加えて、前記廃棄物収集車に備えられた廃棄物の重量計測装置によって、前記ＩＤタグに記憶された各廃棄物管理情報毎に、各廃棄物の重量情報を計測する、計測工程を含み、
前記情報記録工程において、前記重量情報を廃棄物収集情報の一部として記録することを特徴とする請求項６〜８のいずれかに記載の廃棄物収集管理方法。
【発明の詳細な説明】
【０００１】
【発明の属する技術分野】
本発明は、廃棄物収集管理システムおよび廃棄物収集管理方法に関し、さらに詳しくは、廃棄物収集時において廃棄物情報を効率的かつ簡易に収集可能な廃棄物収集管理システムおよび廃棄物収集管理方法に関する。
【０００２】
【従来の技術】
可燃物や不燃物などの一般廃棄物は、一般に行政上の区画に従って、自治体等が運営する収集センターの廃棄物収集車によって収集され、規定の廃棄物焼却施設などの廃棄物処理場において処理される。
近年、ごみ削減、リサイクル率向上への要望が強まるとともに、廃棄物収集情報を管理することが強く望まれている。例えば、ごみ回収袋に特定の情報を記入して貼り、廃棄物情報を管理したり、ごみ収集車にＧＰＳ機能を搭載し、回収地域や、廃棄物回収量等の情報管理が行われるようになってきた。このような廃棄物情報の収集によって、廃棄物排出量を精度良く予測することが可能となり、自治体の運営する廃棄物処理場の運転計画や設計施工計画において有効に利用可能である。また、廃棄物排出量に応じて、廃棄物収集車等による廃棄物収集ルートの設定などを計画的に行える。
【０００３】
しかしながら、特定の印刷物を住民や事業者に配布して、廃棄物情報を管理しようとした場合、印刷費がコスト的に負担となり、廃棄物情報の情報量も制限されてしまうという問題点があった。
また、収集作業の観点からは、廃棄物収集者が印刷物を確認して読み取る等の作業には負担が大きく、特に雨天時などの天候が悪い状況では、収集時の負担が増大してしまっていた。
さらに、廃棄物排出者の個人情報を印刷もしくは記入させるような場合には、個人情報が不特定人に知られる恐れがあり、個人情報の漏洩の問題もあった。
【０００４】
【発明が解決しようとする課題】
本発明者らは、上記問題点に鑑み、地域毎の廃棄物情報を管理することが容易になるとともに、廃棄物収集時の情報読み取り作業などの収集作業を効率的かつ簡易に行うことができる廃棄物収集管理方法を開発すべく、鋭意検討した。
その結果、本発明者らは、廃棄物管理情報を書き込むことができるＩＤタグを用いて、収集時に非接触で瞬時に廃棄物管理情報を読み取り、廃棄物収集情報を合わせて記憶させるシステムを用いることによって、かかる問題点が一気に解決されることを見出した。本発明は、かかる見地より完成されたものである。
【０００５】
【課題を解決するための手段】
すなわち、本発明は、廃棄物管理情報が書き込まれており、廃棄物の排出単位毎に取付もしくは混入される、ＩＤタグと、廃棄物収集ステーションにて、前記ＩＤタグに書き込まれた廃棄物管理情報を非接触で読み取る、情報読取り装置と、前記情報読取り装置によって得られた廃棄物管理情報を、廃棄物収集情報とともに廃棄物情報として記憶する、第１の記憶手段と、複数の廃棄物収集ステーションにて記憶された前記廃棄物情報を、前記第１の記憶手段から転送して記憶する、第２の記憶手段と、を備える廃棄物収集管理システムを提供するものである。
【０００６】
ここで、廃棄物管理情報としては、例えばごみ種別、地域情報、世帯情報などが挙げられる。より具体的には、地域情報としては、排出者の住所もしくは居住地域、廃棄物収集ステーションの居所などが挙げられ、世帯情報としては、世帯人数、世帯主氏名、事業所名、責任者氏名などが挙げられる。ごみ種別は地域ごとに任意に定められるが、例えば資源ゴミ、可燃ゴミ、不燃ゴミなどの種別がある。ＩＤタグへは、これらの廃棄物管理情報が廃棄物情報管理センターにおいて書き込まれる。
廃棄物の排出単位とは、廃棄物情報管理センターからＩＤタグを取り付けて排出することが要求される一単位を表すものであり、例えば、ごみ袋などを一単位とすることが好適に挙げられ、廃棄物収集業者からごみ袋などの排出単位が指定されている場合には、当該ごみ袋が一つの排出単位となる。一方、廃棄物情報管理センターの収集管理方法によっては、廃棄物排出者が一回の収集時に排出する廃棄物については、複数のごみ袋や複数の包装形態であっても一つのＩＤタグを取り付けて管理する形態も可能である。
【０００７】
廃棄物収集ステーションとは、通常、自治体や事業者が指定する各地域内のごみ収集所が広く該当し、例えば一般の路上に設けられる収集場所や、廃棄物を大型容器に投入するタイプの収集ステーションなども該当する。
情報読取り装置とは、ＩＤタグに書き込まれた情報を読み取ることができる、タグリーダのことを広く意味する。ＩＤタグからタグリーダへの廃棄物管理情報の読み込みは、非接触で行うことができる。
【０００８】
また本発明において、廃棄物管理情報とは、上記したような廃棄物種別、居住地域あるいは世帯情報などであり、ＩＤタグへ書き込まれたこれらの廃棄物管理情報は、情報読取り装置によって読み取られる。一方、廃棄物収集においては、その廃棄物収集を行う年月日情報、曜日情報もしくは時刻情報等の日時情報、あるいは、ＩＤタグが取り付けられた排出単位毎の重量情報、容量情報もしくは個数情報等の計量情報、などが廃棄物収集情報として得られる。この廃棄物収集情報は、ＩＤタグから読み取られた廃棄物管理情報とともに廃棄物情報の一部として記憶される。
【０００９】
第１の記憶手段とは、携帯端末のような簡易な記憶手段から、コンピュータ端末機のメモリー部のような記憶手段まで、種々の記憶装置（メモリー）が挙げられる。記憶容量は、少なくとも１つの廃棄物収集ステーションにある全ての廃棄物の廃棄物情報を記憶できる必要があり、好ましくは２０Ｋバイト以上である。また、システムが送信手段を有さない場合には、１回の収集で廻る収集地域内の全ての廃棄物収集ステーションで収集する廃棄物の廃棄物情報を記憶できる必要があり、好ましくは１Ｍバイト以上である。この第一の記憶手段は、上記情報読取り装置と一体化して構成されている場合もある。
第２の記憶手段としては、例えば、廃棄物情報管理センター内に設置されるサーバーコンピューターが挙げられる。第１の記憶手段から転送される廃棄物情報の全てを記憶して情報管理する必要から、第１の記憶手段よりも記憶容量は大きいことが必要であり、好ましくは１０Ｇバイト以上である。
【００１０】
本発明では、さらに加えて、前記第１の記憶手段に記憶された廃棄物情報を送信する、送信手段と、送信される複数の廃棄物情報を電気通信回線を介して受信する、受信手段と、を備えることができる。送信手段は、第１の記憶手段に記憶された情報を逐次、任意な段階で送信することが可能であり、例えば第１の記憶手段の容量が少ないような場合には、各廃棄物収集ステーション毎に得られた廃棄物情報を送信することができる。受信手段は、第２の記憶手段であるコンピューター設置場所に配置され、通常、廃棄物情報管理センター内に配置される。
また、本システムでは、通常、廃棄物収集車が複数の廃棄物収集ステーションを移動して廃棄物収集を行う。この際に、廃棄物収集車に廃棄物の重量計測装置を備えて、前記第１の記憶手段において、前記ＩＤタグに記憶された各廃棄物管理情報毎に、前記廃棄物収集情報の一部として計測される各廃棄物の重量情報を記憶することもできる。
前記廃棄物収集車には、前記情報読取り装置を備えることができる。一方、前記廃棄物収集ステーション毎に、前記情報読取り装置を備えることもできる。
【００１１】
また、本発明は、ＩＤタグに廃棄物管理情報を書き込み、廃棄物排出者に配布する、ＩＤタグ配布工程と、廃棄物収集ステーションにて、前記ＩＤタグが排出単位毎に取付もしくは混入された廃棄物から、該ＩＤタグに書き込まれた廃棄物管理情報を非接触で読み取る、情報読取り工程と、読み取られた前記廃棄物管理情報を、廃棄物収集情報とともに廃棄物情報として記録する、情報記録工程と、前記情報読取りを行った廃棄物を、複数の廃棄物収集ステーションを移動する廃棄物収集車で収集する、収集工程と、複数の廃棄物収集ステーションにて記録された前記廃棄物情報を転送する、情報転送工程と、を含む廃棄物収集管理方法を提供するものである。
ここで前記収集工程には、前記ＩＤタグを廃棄物から分離して回収する、ＩＤタグ回収工程と、前記ＩＤタグと分離された廃棄物を廃棄物収集車に収集する、廃棄物収集工程と、を含むことができる。また、前記情報転送工程には、前記廃棄物情報を送信する、送信工程と、送信された複数の廃棄物情報を電気通信回線を介して受信する、受信工程と、を含むことができる。
本発明では、さらに加えて、前記廃棄物収集車に備えられた廃棄物の重量計測装置によって、前記ＩＤタグに記憶された各廃棄物管理情報毎に、各廃棄物の重量情報を計測する、計測工程を含む態様も挙げられる。この場合、前記情報記録工程において、前記重量情報を廃棄物収集情報の一部として記録することが好ましい。
【００１２】
【発明の実施の形態】
以下、本発明に係る廃棄物収集管理システムについて、添付図面を参照しながらその具体的な実施形態を詳細に説明する。
廃棄物収集管理システム（その１）
本実施の形態では、廃棄物収集工程において、ＩＤタグを廃棄物から分離して回収するＩＤタグ回収工程を含んでおり、ＩＤタグと分離された廃棄物を廃棄物収集車６に収集する。廃棄物収集車６には、各廃棄物の重量情報を記憶する重量計５が備えられている。
図１に、本発明の廃棄物収集管理システムの一例を模式的に示す。
【００１３】
まず、ＩＤタグには、例えば市役所や区役所などの廃棄物情報管理センター１にて、廃棄物管理情報が書き込まれる。廃棄物情報管理センター１では、サーバー７により廃棄物の収集情報管理を行う。ＩＤタグに入力される廃棄物管理情報としては、例えばごみ種別、地域情報、世帯情報などがある。ＩＤタグは、何回も使用可能であり、既に使用して回収したタグを使用する場合には、データを一旦消去してから、新たに配布する一般廃棄物排出者２に合わせた廃棄物管理情報を書き込む。そして、廃棄物情報管理センター１は、一般廃棄物排出者２（地域住民や地域事業者等）に廃棄物管理情報が書き込まれたＩＤタグを配布する。その際、収集する廃棄物が、例えば資源ゴミなどの有料となるものについては、ＩＤタグ配布時に処分料金を徴収する。
【００１４】
廃棄物排出者２は、配布されたＩＤタグを廃棄物の排出単位毎に取り付ける。取付け方法は特に限定されるものではないが、本実施の形態ではＩＤタグを回収することから、廃棄物収集工程において簡易にＩＤタグを廃棄物から分離できることが好ましい。
図２に、ごみ袋を排出単位とする廃棄物について、ＩＤタグを取り付けた一例を示す。この例では、廃棄物を収納する袋（ごみ袋１２）に、ＩＤタグ１０をクリップ１１を介して取付けて、ＩＤタグ１０の着脱が容易な構造としてある。この他、ＩＤタグ１０はピン留め等の方法によっても着脱可能な取付けが可能である。なお、ＩＤタグ１０の取り付けにクリップ１１やピン等の取付具を用いる態様では、ＩＤタグの配布時に廃棄物情報管理センター１から廃棄物排出者２に当該取付具を給付しておくことがよい。
【００１５】
本発明のＩＤタグとしては種々のものを用いることができるが、非接触で廃棄物収集ステーションにて情報読取りを行うことから、例えば電磁誘導方式ＩＤシステムに利用されるＩＤタグが好適に使用できる。ＩＤタグには、廃棄物管理情報としてごみ種別、地域情報、世帯情報などが記憶されることから、メモリ容量としては、例えばユーザーエリアが５０バイト以上、好ましくは１００バイト以上のＩＤタグが良い。データ保持期間は、タグ配布から廃棄物収集時までにデータが残っている必要から、通常１ヶ月以上、好ましくは１年以上である。保存周囲温度としては、冷寒地域から温暖地域にも対応できることが望ましく、通常排出後は屋外に置かれることから、好ましくは−１０℃〜４０℃の使用温度を有するものである。
【００１６】
また、ＩＤタグの形状、サイズに関しては特に限定されるものではなく、一般に用いられるＩＤタグを広く用いることができる。本実施の形態のように一般廃棄物のごみ袋１２等に取付ける場合には、円盤状、棒状又は多角形状などが好ましく用いられ、球形状などは好ましくない。サイズ的には、一般に小さいものが好ましく用いられるが、廃棄物収集者が回収することから手で扱いやすい程度のサイズが好適である。例えば、円盤状であれば直径２〜３０ｍｍ程度、棒状であれば長さ５〜４０ｍｍ程度、正四角形状であれば一辺が５〜３０ｍｍ程度のＩＤタグが挙げられる。このようなＩＤタグの好適な一例としては、オムロン（株）製Ｖ７００シリーズ（形Ｖ７００−Ｄ１３Ｐ２１、形Ｖ７００−Ｄ１３Ｐ３１、形Ｖ７００−Ｄ１３Ｐ４１）などが挙げられる。
【００１７】
廃棄物排出者２は、廃棄物の排出単位毎に上記ＩＤタグ１０を取り付けてから、その廃棄物を指定された廃棄物収集ステーション９（廃棄物収集場所等）に排出する。廃棄物収集ステーション９は、通常、廃棄物情報管理センター１が一般廃棄物排出者２毎に、その居住地域等の情報を基に定めた指定の収集場所である。
ここで、廃棄物の排出単位とは、廃棄物情報管理センター１からＩＤタグを取り付けて排出することが要求される一単位を表すものであり、例えば廃棄物収集業者から上記ごみ袋１２で排出することが定められている場合には、当該ごみ袋１２が一つの排出単位となる。但し、ごみ袋が指定されていない場合や、ごみ袋に入れることが適当でない廃棄物などの場合には、包装や梱包された一単位の他、独立して排出された物品であっても一単位となりうる。これは、廃棄物の種類や形状等によっては、他のものと混合あるいは一緒にして廃棄することが困難な場合もあるからである。特に、木製や鉄製の大型ごみに関しては、単独で排出の一単位となる場合が多く、それぞれにＩＤタグを取り付ける形態が挙げられる。
【００１８】
廃棄物収集ステーション９では、廃棄物情報管理センター１から指定された廃棄物収集者が、情報読取装置３（タグリーダー）を用いて、ＩＤタグから非接触で廃棄物管理情報を読みとる。本実施の形態では、廃棄物収集者が、情報読取装置３を廃棄物収集所に向けて電波を発信させて、ＩＤタグ１０に書き込まれた情報を瞬時に読み取る。廃棄物収集ステーション９には、複数の一般廃棄物排出者２から、ＩＤタグ付き廃棄物が複数排出されているが、本情報読取り装置３を用いれば、廃棄物収集者が廃棄物に触れることなく廃棄物管理情報を読み取れる。この情報読取装置３によって得られた廃棄物管理情報は、廃棄物収集情報とともに廃棄物情報として携帯端末やパソコンなどのメモリー４に記憶される。
【００１９】
本発明で用いられる情報読取り装置３は、その形状や仕様に関して特に限定されるものではなく、タグリーダー単独で構成されているものの他、記憶装置と一体となった端末機であっても利用できる。
具体的には、廃棄物収集ステーション９が一定の面積を有することから、数ｍの範囲で読み取りのための電波を発振できることが好ましい。また、廃棄物収集ステーション９は、コンテナ形状あるいは集荷ボックス形状のように、収集する廃棄物の外周を覆う面が設けられていてもよいが、単なる収集場所も含まれるので、天候によってはＩＤタグおよび廃棄物は雨や雪に曝される場合もある。よって、水の影響を受け難く、水分が存在しても読み取りが可能なタグリーダーを用いる若しくは電波を発振することが好ましい。さらに、廃棄物の種類によっては、金属製の缶や器具類が排出される場合もあるので、金属の影響を受けずに読み取りが可能なタグリーダーを用いる若しくは電波を発振することが好ましい。但し、金属を多く含む廃棄物の場合には、情報読取り工程において、廃棄物収集ステーション９の周囲で異なる２カ所以上から電波を発振して読み取りを実施することにより、１カ所からの読み取りでは読み取りきれなかったＩＤタグの情報を拾い、当該工程を確実に実施することもできる。なお、電波を発振する場合、例えば１２５ｋＨｚ、５００μＶ／ｍ以下程度の電波を利用することができる。
このようなタグリーダーの好適な一例としては、オムロン（株）製の小型リーダーＶ７００シリーズ（形Ｖ７００−ＨＭＤ１１等）などが挙げられる。
【００２０】
ＩＤタグ情報である廃棄物管理情報とともに、メモリー４に入力される廃棄物収集情報には幾つかの種類がある。廃棄物収集情報の第１には、その廃棄物収集を行う年月日情報、曜日情報もしくは時刻情報等の日時情報が挙げられる。これらの日時情報は、廃棄物の収集形態に因らずに、必ず記憶させるべき廃棄物収集情報である。廃棄物収集情報の第２には、ＩＤタグが取り付けられた排出単位毎の重量情報、容量情報もしくは個数情報等の計量情報が挙げられる。これは、後述する廃棄物収集車に重量計測装置が備えられている場合や、容量計測を実施する場合などに記憶される、任意の廃棄物収集情報である。廃棄物収集情報の第３には、廃棄物収集ステーション９を特定するステーション情報が挙げられる。これは、決められた廃棄物収集ステーション９に、排出者が廃棄しているかどうか管理するための任意の廃棄物収集情報である。
本発明の情報記録工程では、情報読取り装置によって得られた廃棄物管理情報とともに、上記廃棄物収集情報を廃棄物情報の一部として、メモリー４に記録する。
【００２１】
一方、本実施の形態では、複数の廃棄物収集ステーション９を移動して廃棄物収集を行う廃棄物収集車６に、廃棄物の重量計５が備えられている。よって、必要に応じて、この重量計５を用いて各廃棄物の重量情報を収集することも可能である。
具体的には、各廃棄物について、ＩＤタグ１０の取り付けられた排出単位毎、つまりＩＤタグに記憶された各廃棄物管理情報毎に、重量計５によって重量を計測する。得られる重量情報は、他の廃棄物収集情報である年月日情報等の日時情報とともに、廃棄物収集情報の一部をなす。排出単位毎の計量情報としては、重量情報以外に容量情報や個数情報をさらに追加することもできる。
得られた重量情報等の計量情報は、ＩＤタグ情報である廃棄物管理情報と合わせて、廃棄物情報としてメモリー４に記憶する。この際に必要であれば、重量計測を行った重量計５の廃棄物を情報読取装置３によってＩＤ確認することもできる。
【００２２】
本発明では、情報読取りを行った廃棄物を、複数の廃棄物収集ステーションを移動する廃棄物収集車６で収集する。本実施の形態では、この収集工程において、まずＩＤタグを廃棄物から取り外して回収する。図２に示すような形態の場合には、クリップ１１を外すことにより容易にＩＤタグ１０をごみ袋１２から分離できる。回収したＩＤタグ１０は、廃棄物収集者が廃棄物とは分けて保管し、廃棄物情報管理センター１に返却する。廃棄物情報管理センター１では、再度、ＩＤタグに入力する廃棄物管理情報を書き換えてから、新たな廃棄物排出者に配布する。
ＩＤタグ１０と分離された廃棄物は、廃棄物収集車６に積載する。廃棄物は、各自治体や事業者等が運営する廃棄物処理場８に輸送されて、処分される。
【００２３】
廃棄物収集車６は複数の廃棄物収集ステーションを移動し、廃棄物情報を第１の記憶手段であるメモリー４に記憶する。そして、メモリー４に記憶された廃棄物管理情報および廃棄物収集情報は、廃棄物情報管理センター１に設置される第２の記憶手段であるサーバー７に転送される。
廃棄物収集に際して、第１の記憶手段に記憶された廃棄物情報を送信する、送信手段を有する場合には、廃棄物情報管理センター１内に送信される廃棄物情報を電気通信回線を介して受信する。廃棄物情報管理センター１への送信は、公衆回線を利用してオンラインで行ってもよいし、一時的にメモリー４に記憶させておいた後、廃棄物情報管理センター１に送信してもよい。なお、通信手段としては無線通信装置を用いても良い。通信手段から送られるデータは、無線等の電気通信回線を介して受信手段が受信する。受信手段としては、廃棄物情報管理センター１内のコンピューターを用いることもできる。
また、メモリー４の種類によっては、全ての廃棄物収集を行った後、廃棄物情報管理センター１に持って行き、そこでサーバー７に廃棄物情報を直接ダウンロードしてもよい。
【００２４】
廃棄物収集管理システム（その２）
本実施の形態は、廃棄物収集工程において、ＩＤタグ回収工程を含まず、ＩＤタグを廃棄物とともに廃棄物収集車６にて収集し、廃棄物処理場８で処分する。また、廃棄物収集車６には、情報読取り装置３が備えられている。その他は、実施の形態（その１）と同様である。
【００２５】
本実施の形態では、上記実施の形態（その１）のように、廃棄物管理情報が書き込まれたＩＤタグを、廃棄物の排出単位毎に取付けることの他に、例えばごみ袋内に混入することもできる。廃棄物収集ステーション９においては、廃棄物収集車６に備えられた情報読取り装置３によって、ＩＤタグに書き込まれた廃棄物管理情報を非接触で読み取る。具体的には、例えば廃棄物収集車６の後部、廃棄物投入口に情報読取り装置３を設置することにより、廃棄物収集者が廃棄物を収集車６に投入するだけで、自動的に情報読取りを実施することができる。かかる形態によれば、廃棄物収集時における情報読み取り工程を一段と簡易に実施することが可能となり、さらにタグ回収工程も省略できるので、作業効率が向上する。
【００２６】
ＩＤタグの形状、サイズに関しては、上記形態（その１）と同様に特に限定されるものではなく、一般に用いられるＩＤタグを広く用いることができる。本実施の形態では、一般廃棄物のごみ袋１２等に取付ける必要がなく、廃棄物収集者が回収する必要もないことから、円盤状、棒状又は多角形状などの他、球形状などの形状も好ましく用いられ、サイズ的にはより一層小さいものが好ましい。
本実施の形態においても、読み取られた廃棄物管理情報は、廃棄物収集情報とともに廃棄物情報として記録する。そして、複数の廃棄物収集ステーション９にて記録された廃棄物情報を、廃棄物情報管理センター１に転送する。ＩＤタグは新規のものを用意して情報を記録して配布する。
【００２７】
廃棄物収集管理システム（その３）
本実施の形態では、上記実施の形態（その１）における情報読取り装置３が、廃棄物収集ステーション９毎に備えられている。その他は、実施の形態（その１）と同様である。
【００２８】
一般廃棄物排出者２は、廃棄物収集ステーション９に、廃棄物管理情報が書き込まれたＩＤタグを取付けてから、廃棄物の排出単位毎に排出する。本実施の形態では、廃棄物収集ステーション９毎に情報読取り装置３が常時設置されており、廃棄物が廃棄物排出者２によって排出される度毎に、情報読み取りが行われる。読み取られた情報は、第１の記憶手段であるメモリー４に記憶される。そして、廃棄物収集者が収集する際には、情報読み取りは必要でなく、収集日時情報等の廃棄物収集情報とともに、情報記録してからサーバー７に通信手段等を用いて転送する。
かかる形態によれば、廃棄物収集時における情報読み取り工程を省略することができるので、収集時の効率を向上させることができる。また、廃棄物排出者２による廃棄日時情報を廃棄物収集情報の一部として、メモリー４に記憶しておくことによって、廃棄物の排出時間が指定されているような廃棄物収集ステーション１においては、時間外廃棄の管理などに有効に利用できる。
【００２９】
【発明の効果】
本発明では、ＩＤタグを用いることにより、読みとるタグリーダーとＩＤタグは非接触であっても、瞬時に複数のタグ情報を読みとり収集できるので、廃棄物収集時の情報読みとり作業を飛躍的に容易にできる。
また本発明によれば、文字を記入するなどの従来の方式と異なり、ＩＤタグへ情報の書き込みによって、廃棄物の種別、各世帯情報など多くの情報を記入することが可能となる。そして、特定の印刷を行ったものを添付するような方式に比べて、毎回の印刷費などの費用が必要なくなり、ＩＤタグ回収により、再利用が可能となる。
【００３０】
さらに本発明によれば、雨天時などの天候が悪い状況でも、読みとり困難な状況になることがなく、廃棄物排出者の個人情報を記憶させた場合にも、シールなどで氏名を記入する方法と異なり、個人情報が不特定人に知られることがなく、個人情報の秘密性が担保される。
加えて、地域ごとに廃棄物収集情報を管理することが容易になり、より詳細に、廃棄物排出量を予測することが可能となる。また、廃棄物排出量に応じて、廃棄物処理場の運転計画や、廃棄物収集ルートの設定などを計画的に行える。
【図面の簡単な説明】
【図１】本発明に係る廃棄物収集管理システムの一例を模式的に示す図である。
【図２】ＩＤタグを取り付けた廃棄物の一例を示す図である。
【符号の説明】
１  廃棄物情報管理センター
２  一般廃棄物排出者
３  情報読取装置
４  メモリー
５  重量計
６  廃棄物収集車
７  サーバー
８  廃棄物処理場
９  廃棄物収集ステーション
１０  ＩＤタグ
１１  クリップ
１２  ごみ袋（排出単位）
【図１】
2004175556.tif 000003
【図２】
2004175556.tif 000004